(57)【要約】【課題】使用位置におけるグリップ部の保持状態を高めて、グラツキを抑制することのできる髪ケア装置を得る。【解決手段】髪ケア機能を有した本体部３と、当該本体部３の連結部３１に回動自在に取り付けられるグリップ部５と、使用位置と折り畳み位置のそれぞれで前記グリップ部５の前記本体部３に対する回動を規制する節度機構４と、を備えた髪ケア装置１であって、前記節度機構４に、グリップ部５の使用位置において、一方が他方を挟み込むようにして前記グリップ部５の回転方向と逆回転方向の動きを規制する係合部（第１凸部１２、ふたコブ状凸部２２ａ）を設けた。【選択図】図１０
2011067316.tif 000002
【特許請求の範囲】
【請求項１】
髪ケア機能を有した本体部と、当該本体部の連結部に回動自在に取り付けられるグリップ部と、使用位置と折り畳み位置のそれぞれで前記グリップ部の前記本体部に対する回動を規制する節度機構と、を備えた髪ケア装置であって、
前記節度機構には、前記グリップ部の使用位置において、一方が他方を挟み込むようにして前記グリップ部の回転方向と逆回転方向の動きを規制する係合部が設けられていることを特徴とする髪ケア装置。
【請求項２】
前記係合部は、連続した２つの凸部から成るふたコブ状凸部と、前記ふたコブ状凸部の隣り合う凸部間に嵌合する第１凸部とで構成されていることを特徴とする請求項１に記載の髪ケア装置。
【請求項３】
前記節度機構は、前記本体部に設けられ、外周に前記第１凸部を設けた第１の係合体と、前記第１の係合体に対して相対回動可能に前記グリップ部に設けられるとともに、前記第１の係合体の外周に対向して配置される対向部に、前記ふたコブ状凸部を設けた第２の係合体とで構成されていることを特徴とする請求項２に記載の髪ケア装置。
【請求項４】
前記係合部を、前記第１の係合体および第２の係合体の周方向に沿って複数設けるとともに、少なくとも一対のふたコブ状凸部を、前記第２の係合体の周方向における対向位置に設けたことを特徴とする請求項３に記載の髪ケア装置。
【請求項５】
前記係合部を、前記グリップ部の折り畳み位置においても、一方が他方を挟むようにして前記グリップ部の回転方向と逆回転方向の動きを規制するようにしたことを特徴とする請求項１〜４のうち何れか１項に記載の髪ケア装置。
【発明の詳細な説明】
【技術分野】
【０００１】
本発明は、髪ケア機能を有した本体部の連結部に、グリップ部を回動自在に連結した髪ケア装置に関する。
【背景技術】
【０００２】
従来より、髪ケア機能を有した本体部と、当該本体部の連結部に回動自在に取り付けられるグリップ部と、使用位置と折り畳み位置のそれぞれでグリップ部の本体部に対する回動を規制する節度機構と、を備えた髪ケア装置が知られている（例えば、特許文献１参照）。
【０００３】
この場合、上記節度機構は、本体部に設けられたボス部に係止して嵌合され、外周にクリック用突起（第１凸部）が設けられた回転リング（第１の係合体）と、グリップ部に直接突設されて上記第１凸部に係合するクリック係合部と、を備えて構成されている。そして、グリップ部を本体部に対して回動することにより、回転リングとグリップ部とが相対回転してクリック用突起とクリック係合部とが相互に相手側を圧接状態で乗り越えるようになっている。
【０００４】
したがって、通常使用時には、回転リングのクリック用突起が相手側のクリック係合部と組み合わさることでグリップ部を保持できるとともに、グリップ部の折り畳み時には、クリック用突起とクリック係合部とが相互に乗り越えることによりクリック感を発生させることができる。
【先行技術文献】
【特許文献】
【０００５】
【特許文献１】特開平２−７７２０７号公報
【発明の概要】
【発明が解決しようとする課題】
【０００６】
しかしながら、上記従来の髪ケア装置では、グリップ部の使用位置において、単に凸状のクリック用係合部がクリック用突起の一端側で係止されているだけなので、グリップ部の保持状態が甘く、グリップ部が使用位置でグラツキ易くなっていた。
【０００７】
そこで、本発明は、使用位置におけるグリップ部の保持状態を高めて、グラツキを抑制することのできる髪ケア装置を得ることを目的とする。
【課題を解決するための手段】
【０００８】
請求項１の発明にあっては、髪ケア機能を有した本体部と、当該本体部の連結部に回動自在に取り付けられるグリップ部と、使用位置と折り畳み位置のそれぞれで前記グリップ部の前記本体部に対する回動を規制する節度機構と、を備えた髪ケア装置であって、前記節度機構には、前記グリップ部の使用位置において、一方が他方を挟み込むようにして前記グリップ部の回転方向と逆回転方向の動きを規制する係合部が設けられていることを特徴とする。
【０００９】
請求項２の発明にあっては、前記係合部は、連続した２つの凸部から成るふたコブ状凸部と、前記ふたコブ状凸部の隣り合う凸部間に嵌合する第１凸部とで構成されていることを特徴とする。
【００１０】
請求項３の発明にあっては、前記節度機構は、前記本体部に設けられ、外周に前記第１凸部を設けた第１の係合体と、前記第１の係合体に対して相対回動可能に前記グリップ部に設けられるとともに、前記第１の係合体の外周に対向して配置される対向部に、前記ふたコブ状凸部を設けた第２の係合体とで構成されていることを特徴とする。
【００１１】
請求項４の発明にあっては、前記係合部を、前記第１の係合体および第２の係合体の周方向に沿って複数設けるとともに、少なくとも一対のふたコブ状凸部を、前記第２の係合体の周方向における対向位置に設けたことを特徴とする。
【００１２】
請求項５の発明にあっては、前記係合部を、前記グリップ部の折り畳み位置においても、一方が他方を挟むようにして前記グリップ部の回転方向と逆回転方向の動きを規制するようにしたことを特徴とする。
【発明の効果】
【００１３】
請求項１の発明によれば、グリップ部の使用位置において、一方が他方を挟み込むようにしてグリップ部の回転方向と逆回転方向の動きを規制する係合部が設けられているため、使用位置におけるグリップ部の保持状態が高まり、グリップ部のグラツキを抑制することができる。
【００１４】
請求項２の発明によれば、係合部は、連続した２つの凸部から成るふたコブ状凸部と、このふたコブ状凸部の隣り合う凸部間に嵌合する第１凸部とで構成されているため、使用位置におけるグリップ部のグラツキをより抑制することができる。
【００１５】
請求項３の発明によれば、グリップ部を伸展および折り曲げする際に、第１の係合体と第２の係合体とが相対回転し、これら第１の係合体の第１凸部と第２の係合体のふたコブ状凸部とが相互に乗り越えることによりクリック感を発生させることができる。そして、グリップ部を伸展させる使用位置では、ふたコブ状凸部の隣り合う凸部間に第１凸部が嵌合してグリップ部の回転方向と逆回転方向の動きが規制されるため、使用位置におけるグリップ部のグラツキを抑制することができるようになる。
【００１６】
請求項４の発明によれば、係合部を第１の係合体および第２の係合体の周方向に沿って複数設けるとともに、少なくとも一対のふたコブ状凸部を、第２の係合体の周方向における対向位置に設けたため、グリップ部の使用位置において、対向位置に設けられた一対のふたコブ状凸部のそれぞれで回動を規制することができるようになり、グリップ部の保持状態をさらに高めることができる。
【００１７】
請求項５の発明によれば、係合部をグリップ部の折り畳み位置においても、一方が他方を挟むようにしてグリップ部の回転方向と逆回転方向の動きを規制するようにしたため、使用位置に加えて折り畳み位置におけるグリップ部のグラツキも抑制することが可能となる。
【図面の簡単な説明】
【００１８】
【図１】本発明の一実施形態にかかるヘアドライヤーの外観斜視図である。
【図２】図１に示すヘアドライヤーの断面図である。
【図３】図１に示すヘアドライヤーの本体部外郭をなす片側ハウジングの節度機構を外側から見た分解斜視図である。
【図４】図１に示すヘアドライヤーの本体部外郭をなす他側ハウジングの連結部の外側と、グリップ部外郭をなす他側ハウジングの本体部への取付部の内側と、を示す分解斜視図である。
【図５】図１に示すヘアドライヤーの本体部外郭をなす他側ハウジングの連結部の外側と、グリップ部外郭をなす他側ハウジングの外側と、を示す分解斜視図である。
【図６】図１に示すヘアドライヤーの本体部外郭をなす片側ハウジングの連結部に回転リングを組み付けた状態を外側から見た斜視図である。
【図７】図１に示すヘアドライヤーのグリップ部外郭をなす片側ハウジングの本体部への取付部を、回動規制部を分離して内側から見た斜視図である。
【図８】図１に示すヘアドライヤーのグリップ部外郭をなす片側ハウジングの本体部への取付部に回動規制部を組み付けた状態を内側から見た斜視図である。
【図９】図１に示すヘアドライヤーの本体部外郭をなす片側ハウジングの連結部と、グリップ部外郭をなす片側ハウジングの本体部への取付部と、を回転リングと回動規制部とを介して結合した状態を示す断面図である。
【図１０】図１に示すヘアドライヤーのグリップ部を使用位置に伸展した状態における説明図である。
【図１１】図１に示すヘアドライヤーのグリップ部を折り畳み位置に屈曲した状態における説明図である。
【図１２】図１に示すヘアドライヤーの連結部に用いられる回転リングの正面図である。
【図１３】図１２に示す回転リングの変形例を示した正面図である。
【図１４】図１０に示すヘアドライヤーのクイックリングの変形例を示した図である。
【図１５】図１１に示すヘアドライヤーのクイックリングの変形例を示した図である。
【発明を実施するための形態】
【００１９】
以下、本発明の実施形態について図面を参照しながら詳細に説明する。図１〜図１２は、本発明にかかる髪ケア装置の一実施形態を示した図である。以下では、髪ケア装置としてヘアドライヤー１について説明するが、本発明の髪ケア装置は、例えば、ヘアブラシ等のその他の機器、装置を含むものとする。なお、図１から図８中、Ｘは左方、Ｙは前方、Ｚは上方を示す。
【００２０】
図１および図２に示すように、ヘアドライヤ１は、髪ケア機能を備えた本体部３と、この本体部３の連結部３１に回動自在に連結されるグリップ部５とを備えている。
【００２１】
本体部３の内部には、後端部（図中右側）のフィルタで覆われた空気吸込口３ａから前端部（図中左側）の空気吹出口３ｂに至る風洞２が形成されており、この風洞２内に収容されたファンＦを回転させることによって空気Ｗが形成される。すなわち、空気流Ｗは、外部から空気吸込口３ａを介して風洞２内に流入し、当該風洞２内を通って空気吹出口３ｂから外部に排出される。
【００２２】
ファンＦは、風洞２の最も上流側に配置されており、その下流側にはファンＦを回転駆動するモータＭが配置され、モータＭのさらに下流側には加熱機構としてのヒータＨが配置される。ヒータＨは、本体部３の連結部３１に設けられた第２のスイッチ６１により動作モードを切り換えることができるようになっており、ヒータＨを作動させたときには、空気吹出口３ｂから加熱された温風が吹き出され、ヒータＨを作動させないときには、空気吹出口３ｂからそのままの冷風が吹き出される。
【００２３】
本体部３の上部前面には、一対のイオン放出口３ｃ、３ｄが設けられており、内蔵したイオン発生装置Ｉで発生させたマイナスイオンがイオン放出口３ｃから前方（図２中左方）に放出されるようになっている。この場合、イオン放出口のうち一方のイオン放出口３ｄからは、プラチナイオンを放出するようにしてもよい。このような機能を付与することにより、毛髪にツヤやしっとり感を与えて、毛髪のクセ取りに効果を発揮する。
【００２４】
グリップ部５の前側中央部には、メインスイッチとなる第１のスイッチ６が上下複数段の切り換え自在に設けられている。この第１のスイッチ６は、電源のオン・オフおよび風量調節を行うものである。また、本体部３の連結部３１の側面付け根部には第３のスイッチ６２が設けられ、この第３のスイッチ６２によってイオン発生装置Ｉによるミストのオン・オフの切り替えが行われる。なお、図１中、符号３ｅは発光部であり、この発光部３ｅは、例えばヒータＨを使用して温風が吹き出されている状態や、ミストが放出されている状態など、各動作状態に応じて発光色を異ならせることで、ヘアドライヤ１の動作モードの表示手段として利用することができる。
【００２５】
そして、連結部３１の下端部とグリップ部５の上端部との間には、グリップ部５を使用位置と折り畳み位置のそれぞれで回動規制する節度機構４が設けられている。
【００２６】
このとき、本体部３は、それの外郭が左右に２分割された本体左側ハウジング３Ｈｌと本体右側ハウジング３Ｈｒとを結合して構成されるとともに、同様にグリップ部５は、それの外郭が左右に２分割されたグリップ左側ハウジング５Ｈｌとグリップ右側ハウジング５Ｈｒとを結合して構成されている。
【００２７】
したがって、節度機構４は、図３に示すように、本体右側ハウジング３Ｈｒの連結部３１の外側下部と、図７に示すように、グリップ右側ハウジング５Ｈｒの内側上部との間、および、図４および図５に示すように、本体左側ハウジング３Ｈｌのグリップ取付部３１の外側下部と、グリップ左側ハウジング３Ｈｌの内側上部との間に設けられることになる。
【００２８】
本実施形態の節度機構４は、この節度機構４の回動中心軸Ｃ（図３、４参照）を中心として本体部３（本体右側ハウジング３Ｈｒ）に固定される第１の係合体としての回転リング１０と、この回転リング１０の外周に対向して配置され、グリップ部５（グリップ右側ハウジング５Ｈｒ）に固定される第２の係合体としてのクリックリング２０とを備えている。
【００２９】
回転リング１０は、図３に示すように、回動中心軸Ｃ方向に所定長さａを有するリング状に形成され、その内周面には係止突起１１が突設されるとともに、外周面には後述する係合部としての第１凸部１２が当該回転リング１０の周方向における対向位置に２つ設けられている。
【００３０】
また、回転リング１０は、同図および図６に示すように、本体右側ハウジング３Ｈｒの外側に設けた円形凹部３２に配置されるとともに、その円形凹部３２の底面から上述した回動中心軸Ｃを中心として突出したボス部３３の外側に嵌合される。このとき、回転リング１０とボス部３３との嵌合部には、回転リング１０の変形を許容する程度の隙間が設けられている。
【００３１】
ボス部３３の外周部には係合溝３３ａが形成されており、その係合溝３３ａに回転リング１０の係止突起１１が係合されることにより、回転リング１０はボス部３３と回転方向に係止され、ひいては、本体部３の連結部３１と回転方向に一体となる。
【００３２】
また、回転リング１０は、図１２に示すように、第１凸部１２が設けられた部分１０Ｋの径方向の肉厚ｔ１が、その他の部分１０Ｎの径方向の肉厚ｔ２よりも厚く形成されている。本実施形態では、このように肉厚ｔ１、ｔ２に差をもたせるために、回転リング１０の外周に沿った形状を円形状とするとともに、内周に沿った形状を、荷重Ｒの作用方向（図中上下方向）が短軸となる楕円状としてある。
【００３３】
このように、本実施形態では、回転リング１０の第１凸部１２が設けられた部分１０Ｋの径方向の肉厚ｔ１を、その他の部分１０Ｎの径方向の肉厚ｔ２よりも厚くしてあるので、その肉厚ｔ１を厚くした部分１０Ｋで強度が高められて、回転リング１０の反発力を増大させることができる。
【００３４】
また、回転リング１０の肉厚ｔ２が薄くなる部分１０Ｎの内側に、本体部３に設けたボス部３３の係合溝３３ａに係止される係止部としての係止突起１１が設けられている。このとき、第１凸部１２および係止突起１１は、回転リング１０の周方向にそれぞれ複数箇所設けられる。
【００３５】
すなわち、本実施形態では、第１凸部１２は、回転リング１０の中心を通る１つの直線Ｌ１上に２箇所設けられるとともに、係止突起１１は、その直線Ｌ１に対してほぼ直角に配置され回転リング１０の中心を通る１つの直線Ｌ２に２箇所設けられている。
【００３６】
一方、クリックリング２０は、グリップ部５のグリップ右側ハウジング５Ｈｒと一体に形成してもよいのであるが、本実施形態では、図７および８に示すように、そのクリックリング２０が、グリップ右側ハウジング５Ｈｒとは別体として形成されるとともに、回転リング１０の外周を連続して囲繞する環状に形成されている。また、環状に形成されたクリックリング２０の回動中心軸Ｃ方向の一端部、つまり、グリップ右側ハウジング５Ｈｒの内側に対向する側の端部には、クリックリング２０と一体に底面２１が環状に設けられている。
【００３７】
クリックリング２０が回転リング１０の外周に対向する対向部、つまり、クリックリング２０の内周面には、回転リング１０の第１凸部１２との圧接を伴って相互に乗り越え自在な第２凸部２２が設けられている。
【００３８】
ここで、本実施形態では、この第２凸部２２が、連続した２つの凸部から成る係合部としてのふたコブ状凸部２２ａと、このふたコブ状凸部２２ａに対してグリップ部５の折り畳み角度θ１（図１０参照）だけ変位した位置に設けられるクリック凸部２２ｂと、によって構成されている。
【００３９】
すなわち、図１０に示すように、グリップ部５を本体部３に対して伸展して使用状態としたときには、第１凸部１２は、ふたコブ状凸部２２ａの隣り合う凸部間に嵌合することとなり、これらふたコブ状凸部２２ａと第１凸部１２とによって構成された係合部によって、一方が他方を挟みこむようにしてグリップ部５の回転方向と逆回転方向の動きを規制できるようになっている。このとき、ふたコブ状凸部２２ａおよびクリック凸部２２ｂの突出部分は円弧状に形成されているとともに、それぞれがクイックリング２０の周方向における対向位置に２箇所づつ設けられている。
【００４０】
クリックリング２０は、図７に示すように、グリップ右側ハウジング５Ｈｒの上端部に設けた円形突出部５１の内側に配置されるようになっている。円形突出部５１の中心は回動中心軸Ｃと一致しており、その中心部に段付穴５２が形成される。
【００４１】
段付穴５２は、円形突出部５１（本体右側ハウジング３Ｈｒ）に対向する側に段部５２ａが形成されており、この段部５２ａに後述する筒状軸５６の先端が付き合わされるようになっている。
【００４２】
クリックリング２０の底面２１には、図７に示すように、周方向にほぼ等間隔をもって複数（本実施形態では６箇所）の係合凸部２３が円形突出部５１に向かって突設されるとともに、その円形突出部５１の内側には、それら係合凸部２３をそれぞれ密接して嵌合する複数の凹所５３が設けられている。
【００４３】
凹所５３は、回転中心軸Ｃを中心とする複数の放射状のリブ５３ｃ間に設けられるとともに、それらリブ５３ｃどうしは回転中心軸Ｃを中心とする弧状のリブ５３ｄによって補強されている。そして、クリックリング２０の係合凸部２３を凹所５３に挿入して係合させることにより、クリックリング２０はグリップ右側ハウジング５Ｈｒに回転方向に係止され、ひいては、グリップ部５と回転方向に一体となる。
【００４４】
このとき、複数の係合凸部２３のうちの一部、本実施形態では下方に位置する２つの係合凸部２３ａを他の係合凸部２３ｂよりも若干突出させて高くしてある。このようにすることにより、クイックリング２０を組み付ける際に、まず、高い係合凸部２３ａをガイドとして凹所５３ａに挿入した後に、残りの係合凸部２３ｂを凹所５３ｂに挿入することにより、係合凸部２３を全体的に挿入し易くなる。
【００４５】
さらに、本実施形態では、下方に位置する２つの係合凸部２３ａを他の係合凸部２３ｂよりも横幅を長くしてあるとともに、これに対応する円形突出部５１の凹所５３ａについても他の凹所５３ｂよりも横幅を長くしている。このようにすることで、クリックリング２０を組み付ける際には、横幅の長い係合凸部２３ａはこれに対応する凹所５３ａにしか挿入することができないため、クイックリング２０を適切な位置関係（第１凸部に対する第２凸部の位置）となるように組み付けることができる。
【００４６】
また、本実施形態では、図６に示すように、回転リング１０を嵌合するボス部３３の係合溝３３ａの両側に、外方に向かって突出する突起部３４が形成されている。一方、図７および８に示すように、円形突出部５１が本体右側ハウジング３Ｈｒに対向する面には、段付穴５２の周縁部に上記突起部３４を係止する一対の凸部５４が中心を通る１つの直線上に形成されている。
【００４７】
そして、本体右側ハウジング３Ｈｒとグリップ右側ハウジング５Ｈｒとを組み付ける際には、回転リング１０を本体右側ハウジング３Ｈｒのボス部３３に組み付けるとともに、クリックリング２０をグリップ右側ハウジング５Ｈｒの円形突出部５１に組み付けた後、その円形突出部５１を、クリックリング２０が回転リング１０の外周に嵌合されるようにして本体右側ハウジング３Ｈｒの円形凹部３２に外側から被せる。これで、本体右側ハウジング３Ｈｒとグリップ右側ハウジング５Ｈｒとが仮組み付けされる。
【００４８】
このとき、回転リング１０を嵌合したボス部３３の突起部３４は、段付穴５２周縁部の一対の凸部５４間に形成される弧状凹部５４ａにそれぞれ位置することとなり、グリップ部５の折り畳みに伴う回動によって突起部３４が弧状凹部５４ａ内を移動する。そして、グリップ部５が伸展状態になったときに、突起部３４は一対の凸部５４の一方に突き当たるとともに、グリップ部５が屈曲されて折り畳み状態となったときに、突起部３４は一対の凸部５４の他方に突き当たる。したがって、それら突起部３４と凸部５４とによって内側の第１のストッパー部Ｓ１が構成される。
【００４９】
次に、本体左側ハウジング３Ｈｌとグリップ左側ハウジング５Ｈｌとの組み付けを説明する。図４に示すように、本体左側ハウジング３Ｈｌの連結部３１の下部外側には円形凹部３５が形成されるとともに、グリップ左側ハウジング５Ｈｌの上端部には円形突出部５５が設けられている。その円形突出部５５の内側には、回転中心軸Ｃを中心として、グリップ右側ハウジング５Ｈｒの段付穴５２（図７参照）に到達する筒状軸５６が突設される一方、本体左側ハウジング３Ｈｌの円形凹部３５の中心部には回転中心軸Ｃ上に筒状軸５６を回転自在に密接して嵌合する挿通孔３６が形成される。
【００５０】
また、円形凹部３５の外側面には、挿通孔３６を中心として一対の扇形凸部３７が所定角度θ２をもって突設されるとともに、円形突出部５５の内側面には筒状軸５６を中心として扇形凸部３７を受容する一対の弧状凹部５７が設けられている。
【００５１】
そして、図５に示すように、グリップ左側ハウジング５Ｈｌの円形突出部５５を、筒状軸５６を挿通穴３６に挿通させるようにして本体左側ハウジング３Ｈｌの円形凹部３５の外側に被せる。これで、本体右側ハウジング３Ｈｒとグリップ右側ハウジング５Ｈｒとの仮組み付けが完了される。このとき、筒状軸５６の先端部は挿通穴３６の内側から所定量突出した状態となっている。
【００５２】
また、円形突出部５５を円形凹部３５に被せた際に、扇形凸部３７が弧状凹部５７に位置することとなり、グリップ部５の回動に伴って扇形凸部３７が弧状凹部５７内を移動する。そして、グリップ部５が伸展状態および折り畳み状態になったときに、扇形凸部３７は弧状凹部５７の両端壁５７ａにそれぞれ突き当たるようになっており、それら扇形凸部３７と両端壁５７ａとによって内側の第２のストッパー部Ｓ２が構成される。
【００５３】
さらに、図４に示すように、本体左側ハウジング３Ｈｌの円形凹部３５の下部には、円弧状の開口部３８が形成されるが、その開口部３８の外周部分の一部に切欠部３８ａが形成されている。一方、図６に示すように、本体右側ハウジング３Ｈｒの連結部３１の下端部には、上記切欠部３８ａに密接して挿入される突起３９が突設されている。
【００５４】
そして、このようにして仮組み付けされた本体右側ハウジング３Ｈｒとグリップ右側ハウジング５Ｈｒ、および本体左側ハウジング３Ｈｌとグリップ左側ハウジング５Ｈｌは、それぞれの間に上述した各機能部品、つまり、ファンＦ、ヒータＨ、モータＭ、イオン発生装置Ｉ、第１から第３のスイッチ６、６１、６２および電源コード７などを組み込んだ後に、本体右側ハウジング３Ｈｒと本体左側ハウジング３Ｈｌとを突き合わすとともに、グリップ右側ハウジング５Ｈｒとグリップ左側ハウジング５Ｈｌとを突き合わせて、それぞれの突き合わせ部分を結合する。
【００５５】
このとき、本体左側ハウジング３Ｈｌに形成した挿通穴３６の内側から突出している筒状軸５６の先端部は、図９に示すように、グリップ右側ハウジング５Ｈｒの段付穴５２に挿入され、この状態で段部５２ａの中心孔５２ｂに固定ビス（ボルトでもよい）を外方（図中左方）から挿入して筒状軸５６の中心穴５６ａに螺合して締め付けるようになっている。これにより、本体右側ハウジング３Ｈｒとグリップ右側ハウジング５Ｈｒ、および本体左側ハウジング３Ｈｌとグリップ左側ハウジング５Ｈｌは、連結部４において相互に固定されることになる。
【００５６】
また、本体左側ハウジング３Ｈｌと本体右側ハウジング３Ｈｒとを突き合わせた際に、本体右側ハウジング３Ｈｒの突起３９が本体左側ハウジング３Ｈｌの切欠部３８ａに密接嵌合されて、それら両ハウジング３Ｈｌ、３Ｈｒの下部の位置合せが行われるようになっている。
【００５７】
このように組み付けられた本体部３とグリップ部５とは、節度機構４を介してグリップ部５を使用位置と折り畳み位置との間で相対回動可能に連結されることになる。そして、節度機構４を中心として本体部３とグリップ部５とが相対回動されることに伴って、回転リング１０とクリックリング２０とが相対回転される。すると、回転リング１０の第１凸部１２と、クリックリング２０の第２凸部２２（ふたコブ状凸部２２ａおよびクリック凸部２２ｂ）と、が圧接を伴って相互に乗り越え自在に移動されることになる。
【００５８】
すなわち、図１０に示すように、ヘアドライヤー１を使用するにあたってグリップ部５を使用位置としたときには、第１凸部１２がふたコブ状凸部２２ａのクリック凸部２２ｂ側のコブ２２ｃを乗り越えて、隣り合うふたコブ状凸部２２ａ間の中央部に位置し、この状態でグリップ部５の伸展状態が保持される。この伸展状態では第１のストッパー部Ｓ１および第２のストッパー部Ｓ２も効いた状態となる。
【００５９】
また、図１１に示すように、ヘアドライヤー１の使用が終了してグリップ部５を折り畳んだときには、第１凸部１２がクリック凸部２２ｂを乗り越えてクリック感を得ることができる。このとき、第１凸部１２がクリック凸部２２ｂを乗り越えた位置で、第１のストッパー部Ｓ１および第２のストッパー部Ｓ２が効いて、回転リング１０とクリックリング２０との相対回転が停止し、グリップ部５の折り畳み状態が保持される。
【００６０】
また、本実施形態では、クリックリング２０が、これを回転方向に一体として設けたグリップ右側ハウジング５Ｈｒ（グリップ部５）よりも強度の高い材料で形成されるようになっている。すなわち、本体部３の左・右側ハウジング３Ｈｌ、３Ｈｒおよびグリップ部５の左・右側ハウジング５Ｈｌ、５Ｈｒは、合成樹脂を材料として射出成型などで一体成形されるが、クリックリング２０も合成樹脂で一体成形する場合に、そのクリックリング２０をグリップ部５の合成樹脂材料よりも強度が高くなる合成樹脂材料を用いて形成する。この場合、クリックリング２０をアルミニウムなどの金属を用いて形成することもできるが、加工性やコスト面で強度の高い合成樹脂を用いて成形することが好ましい。
【００６１】
さらに、クリックリング２０はグリップ右側ハウジング５Ｈｒに回転方向に一体として支持されるが、そのグリップ右側ハウジング５Ｈｒには、図９に示すように、クリックリング２０の外側（外周）に接触しない非接触部５８が設けられている。すなわち、クリックリング２０は、上述したように円形突出部５１の内側に設けた凹所５３に係合凸部２３を嵌合させることにより、グリップ右側ハウジング５Ｈｒと回転方向に一体化されるが、このとき、円形突出部５１の外周は凹所５３の先端面とほぼ同一面として非接触部５８を形成し、クリックリング２０の外周に接触する部分を無くしている。
【００６２】
一方、このようにグリップ右側ハウジング５Ｈｒにクリックリング２０の非接触部５８を設けた代わりに、本実施形態では、本体右側ハウジング３Ｈｒにクリックリング２０の外側を保持する保持部３２ａが設けられるようになっている。この保持部３２ａは、ボス部３３を形成した円形凹部３２を利用し、その円形凹部３２の外周壁３２ａによって形成されている。
【００６３】
さらに、本実施形態では、図１１に示すように、本体部３とグリップ部５との間に、クリックリング２０よりも外側に位置して、それら本体部３とグリップ部５との所定の回動状態を規制する外側の折り畳み用ストッパー部Ｓ３が設けられている。その折り畳み用ストッパー部Ｓ３は、本体部３のグリップ連結部３１の前側下端部をさらに下方に向かって延設した突出部４０と、グリップ部５の後側内面に設けられた受け座５９と、によって構成され、グリップ部５を折り畳んだ際のストッパーとなる。
【００６４】
突出部４０は、図４および図６に示すように、本体右側ハウジング３Ｈｒおよび本体左側ハウジング３Ｈｌに、それぞれ分割された半割突出部４０ａ、４０ｂとして設けられ、それら両ハウジング３Ｈｒ、３Ｈｌが突き合わされることによりそれぞれの半割状突出部４０ａ、４０ｂが結合されて、先端部が円弧状に突出する舌状の突出部４０が形成される。
【００６５】
一方、受け座５９は、図７に示すように、グリップ右側ハウジング５Ｈｒの後側内面に断面台形状として設けられる。このとき、受け座５９は、グリップ右側ハウジング５Ｈｒの深さと、グリップ左側ハウジング５Ｈｌの深さとを合わせた高さに形成される。これにより、両ハウジング５Ｈｒ、５Ｈｌを突き合わせることにより受け座５９がグリップ部５の内側全幅に亘って配置され、グリップ部５を折り畳んだ際に突出部４０を受け座５９によって確実に受け止めることができるようになっている。なお、図１に示すように、グリップ部５の前側上部は突出部４０の形状に沿った凹設形状部５ａとなっている。
【００６６】
なお、図１０に示すように、グリップ部５を伸展した状態では、連結部３１の後側下端部３１ａが、グリップ部５の後側上端部５ｂに当接されるようになっており、それら後側下端部３１ａと後側上端部５ｂとによって、グリップ部５の伸展時における外側の伸展用ストッパー部Ｓ４が構成される。
【００６７】
以上、詳細に亘って説明してきたように、本実施形態のヘアドライヤ１によれば、グリップ部５を伸展および折り曲げする際に、回転リング１０とクイックリング２０とが相対回転し、これら回転リングの第１凸部１２とクイックリング２０のふたコブ状凸部２２ａとが相互に乗り越えることによりクリック感を発生させることができる。そして、グリップ部５を伸展させる使用位置では、ふたコブ状凸部２２ａの隣り合う凸部間に第１凸部１２が嵌合してグリップ部５の回転方向と逆回転方向の動きが規制されるため、使用位置におけるグリップ部５の保持状態が高まり、グラツキを抑制することができる。
【００６８】
また、本実施形態では、係合部は、連続した２つの凸部から成るふたコブ状凸部２２ａと、このふたコブ状凸部２２ａの隣り合う凸部間に嵌合する第１凸部１２とで構成されているため、使用位置におけるグリップ部５のグラツキをより抑制することができる。
【００６９】
さらにまた、本実施形態では、係合部を、回転リング１０およびクイックリング２０の周方向に沿って複数設けるとともに、少なくとも一対のふたコブ状凸部２２ａを、クイックリング２０の周方向における対向位置に設けたため、グリップ部５の使用位置において、対向位置に設けられた一対のふたコブ状凸部２２ａのそれぞれで回動を規制することができるようになり、グリップ部５の保持状態をさらに高めることができる。
【００７０】
以上、本発明の好適な実施形態について説明したが、本発明は上記実施形態には限定されず、本発明の要旨を逸脱しない範囲で各種変更が可能である。例えば、上記実施形態では、第１凸部１２が設けられた部分１０Ｋの径方向の肉厚ｔ１と、その他の部分１０Ｎの径方向の肉厚ｔ２に差をもたせるために、回転リング１０の外周に沿った形状を円形状とするとともに、内周に沿った形状を、荷重Ｒの作用方向（図中上下方向）が短軸となる楕円状としたが、図１５の変形例に示すように、回転リング１０の内周に沿った形状を円形状とし、外周に沿った形状を楕円状としてもよい。
【００７１】
また、上記実施形態では、グリップ部５を本体部３に対して伸展して使用状態としたときにのみ、第１凸部１２をふたコブ状凸部２２ａで規制するようにしたが、図１６および１７に示す変形例のように、上記実施形態のクリック凸部２２ｂの位置にも、ふたコブ状凸部２２ａを設けて、使用位置と折り畳み位置の両位置で、ふたコブ状凸部２２ａで第１凸部１２を挟み込み支持するようにしてもよい。かかる構成では、使用位置に加えて折り畳み位置におけるグリップ部５のグラツキも抑制することが可能となる。
【００７２】
また、上記実施形態では、回転リング１０を環状に形成したが、例えば半円状などその他の形状にしてもよい。
【００７３】
また、上記実施形態では、回転リング１０を本体部３に回転方向に一体に設けるとともに、クリックリング２０をグリップ部５に回転方向に一体に設けたが、それらの関係を逆にして、回転リング１０をグリップ部５側、クリックリング２０を本体部３側に設けることもできる。
【００７４】
さらにまた、上記実施形態では、髪ケア装置をヘアドライヤー１として説明したが、髪ケア機能を有する本体部に折り畳み可能なグリップ部が連結された髪ケア装置であれば本発明を適用することができる。
【符号の説明】
【００７５】
１      ヘアドライヤー（髪ケア装置）
３      本体部
５      グリップ部
１０    回転リング（第１の係合体）
１２    第１凸部（係合部）
２０    クリックリング（第２の係合体）
２２    第２凸部
２２ａ  ふたコブ状凸部（係合部）
３１    連結部
Ｃ      回動中心軸
【図１】
2011067316.tif 000003
【図２】
2011067316.tif 000004
【図３】
2011067316.tif 000005
【図４】
2011067316.tif 000006
【図５】
2011067316.tif 000007
【図６】
2011067316.tif 000008
【図７】
2011067316.tif 000009
【図８】
2011067316.tif 000010
【図９】
2011067316.tif 000011
【図１０】
2011067316.tif 000012
【図１１】
2011067316.tif 000013
【図１２】
2011067316.tif 000014
【図１３】
2011067316.tif 000015
【図１４】
2011067316.tif 000016
【図１５】
2011067316.tif 000017